(57)【要約】【課題】栓体が飲み口体を閉めるときは開閉ボタンを手指で押し込むだけのワンタッチで、栓体を開けるときは開閉ボタンを押したまま上方に持上げるだけで簡単に開閉操作できる。【解決手段】飲み口体ｂは、中央部に外側方に突出する係止部１４を形成せしめる飲み口部１３を立設し、栓体ｃは外側囲み壁部１７に外側囲み壁部１７に挿通せしめるピン３１により接続され、内挿するバネ２９により弾発力を保持し、下端部に爪部３２、３２を有する開閉ボタン２７、２７を取着し、内部に栓パッキン２４を内挿する。栓体ｃを飲み口体ｂに嵌着すると、栓パッキン２４に飲み口部１３があたり、パッキン１５の弾発力によって飲み口部１３が下方向に押され、開閉ボタン２７、２７の爪部３２、３２が係止部１４に引掛り係止し、栓体ｃが飲み口体ｂに対し固定し、栓体ｃの栓パッキン２４が容器本体間に注入中の飲料水の漏れを防止し、簡単に栓体ｃを着脱できる。【選択図】    図１
2012153370.tif 000002
【特許請求の範囲】
【請求項１】
容器本体と飲み口体とボタンロック体付き栓体とからなる携帯用飲料容器において、
前記飲み口体は、中央部に外側方に突出する係止部を形成せしめる飲み口部を立設し、前記栓体は、外側囲み壁部に、前記外側囲み壁部に挿通せしめるピンによって接続され、且内挿するバネによって弾発力を保持し、且下端部に爪部を有する開閉ボタンを取着し、内部に栓パッキンを内挿せしめると共に、前記栓体を前記飲み口体に嵌着すると、内部の栓パッキンに飲み口部があたり、パッキンの弾発力によって、飲み口部が下方向に押され、前記開閉ボタンの爪部が飲み口部の係止部に引掛り係止し、前記栓体が前記飲み口体に対し固定し、前記栓体の栓パッキンが容器本体間に注入中の飲料水の漏れを防止し、簡単且自在に前記栓体を着脱できることを特徴とする携帯用飲料容器。
【請求項２】
前記ボタンロック体付き栓体のボタンロック体は、前記栓体の上面部に前記開閉ボタンの押圧をロックしたり、あるいは解除せしめる前記栓体に対し正逆回転を可能に装着せしめ、前記ボタンロック体と一体となった前記栓体を前記飲み口体の飲み口部に着脱自在にせしめることを特徴とする請求項１に記載の携帯用飲料容器。
【請求項３】
前記飲み口体の中央部より立設する飲み口部の係止部は、前記飲み口部の下方基部より若干上方部に形成し、前記栓体の上面部に装着せしめる前記ボタンロック体は、前記栓体の外側囲み壁部の上方部より飛出する前記開閉ボタンの上方部が出入可能な凹部を囲み壁部に設けることを特徴とする請求項１又は同２に記載の携帯用飲料容器。
【請求項４】
前記飲み口体の飲み口部の係止部の上面部に、所定の間隔を設けて外側方に突出する突起部を形成すると共に、前記栓体の内側嵌挿部に所定の間隔おきに前記突起部が嵌挿する栓凹部を形成せしめることを特徴とする請求項１又は同２又は同３に記載の携帯用飲料容器。
【請求項５】
前記飲み口体の飲み口部の突起部と、前記栓体の栓凹部を形成する各突起部の先端部は挿入を良好にするために鋭角にしていることを特徴とする請求項１又は同２又は同３又は同４に記載の携帯用飲料容器。
【発明の詳細な説明】
【技術分野】
【０００１】
本発明は、栓体を着脱させるのに、栓体を構成している開閉ボタンの下端部に形成している爪部が飲み口体の飲み口部の係止部に係止することで栓体の栓パッキンによって水の漏れを防止し、簡単にして、且自在に栓体を着脱できると共に、栓体の上部に取着せしめたボタンロック体を正逆回転をさせることによって栓体の着脱を行うようにした携帯用飲料容器の分野に関するものである。
【背景技術】
【０００２】
従来、携帯飲料容器として、特開２００５−３０６４３４公開特許公報が開示されている。
【０００３】
前記した従来開示の携帯飲料容器１１は、貯液容器１２に嵌着する傾斜状に立設する飲み口部２９ａ、２９ｂ付き中栓１３に対し、蓋１４がねじ式で前記中栓１３の飲み口部２９ａ、２９ｂを塞ぐ方式であった。
【０００４】
従来タイプの携帯飲料容器１１は、蓋１４の着脱がワンタッチ方式とは異なった、いわゆるねじ式のため、第１工程として蓋１４を中栓１３に対し嵌め込み、第２工程として蓋体１４を何回か回転させるという２工程もの操作が必要で煩雑であった。
【０００５】
さらに、従来タイプの携帯飲料容器１１は、蓋体１４を中栓１３から離脱するときも、蓋体１４を螺戻するという煩雑な操作が必要であった。
【０００６】
従って、従来タイプの携帯飲料容器は、蓋体１４の着脱がワンタッチ方式ではなく煩雑であった。
【０００７】
また従来タイプの携帯飲料容器は、中栓を構成する飲み口部２９ａ、２９ｂを蓋体１４が直接塞ぐ方式ではなかった。
【先行技術文献】
【特許文献】
【０００８】
【特許文献１】特開２００５−３０６４３４公開特許公報
【発明の概要】
【発明が解決しようとする課題】
【０００９】
本発明が解決しようとする課題は以下のとおりである。
【００１０】
第１に、本発明は、従来開示の前記特許文献１の発明の携帯用飲料容器のように蓋体をねじ式で開閉するタイプのものと異なり、飲み口体を開閉する栓体をワンタッチ式にした。
【００１１】
第２に、本発明は、飲み口体に対し栓体が如何なる角度からでも着脱ができる構成にした。
【００１２】
第３に、本発明は、栓体のワンタッチ着脱を開閉ボタン式にした。
【００１３】
第４に、本発明は、飲み口体と栓体との着脱を、飲み口部の係止部に開閉ボタンの爪部を係止せしめワンタッチ式をスムーズにした。
【００１４】
第５に、本発明は、ワンタッチ式の栓体の開閉ボタンを栓体上面に装着のボタンロック体を正逆回転をせしめることによって開閉ボタンの押圧操作をスムーズにした。
【００１５】
第６に、本発明は、飲み口体の飲み口部を栓体に内挿の栓パッキンによって水漏れを防ぐようにした。
【課題を解決するための手段】
【００１６】
課題を解決するための手段として、請求項１に記載の発明の携帯用飲料容器は、容器本体と飲み口体とボタンロック体付き栓体とからなる携帯用飲料容器において、前記飲み口体は、中央部に外側方に突出する係止部を形成せしめる飲み口部を立設し、前記栓体は、外側囲み壁部に、前記外側囲み壁部に挿通せしめるピンによって接続され、且内挿するバネによって弾発力を保持し、且下端部に爪部を有する開閉ボタンを取着し、内部に栓パッキンを内挿せしめると共に、前記栓体を前記飲み口体に嵌着すると、内部の栓パッキンに飲み口部があたり、パッキンの弾発力によって、飲み口部が下方向に押され、前記開閉ボタンの爪部が飲み口部の係止部に引掛り係止し、前記栓体が前記飲み口体に対し固定し、前記栓体の栓パッキンが容器本体間に注入中の飲料水の漏れを防止し、簡単且自在に前記栓体を着脱できることを特徴とする。
【００１７】
課題を解決するための手段として、請求項２に記載の発明の携帯用飲料容器は、前記ボタンロック体付き栓体のボタンロック体は、前記栓体の上面部に前記開閉ボタンの押圧をロックしたり、あるいは解除せしめる前記栓体に対し正逆回転を可能に装着せしめ、前記ボタンロック体と一体となった前記栓体を前記飲み口体の飲み口部に着脱自在にせしめることを特徴とする。
【００１８】
課題を解決するための手段として、請求項３に記載の発明の携帯用飲料容器は、前記飲み口体の中央部より立設する飲み口部の係止部は、前記飲み口部の下方基部より若干上方部に形成し、前記栓体の上面部に装着せしめる前記ボタンロック体は、前記栓体の外側囲み壁部の上方部より飛出する前記開閉ボタンの上方部が出入可能な凹部を囲み壁部に設けることを特徴とする。
【００１９】
課題を解決するための手段として、請求項４に記載の発明の携帯用飲料容器は、前記飲み口体の飲み口部の係止部の上面部に、所定の間隔を設けて外側方に突出する突起部を形成すると共に、前記栓体の内側嵌挿部に所定の間隔おきに前記突起部が嵌挿する栓凹部を形成せしめることを特徴とする。
【００２０】
課題を解決するための手段として、請求項５に記載の発明の携帯用飲料容器は、前記飲み口体の飲み口部の突起部と、前記栓体の栓凹部を形成する各突起部の先端部は挿入を良好にするために鋭角にしていることを特徴とする。
【発明の効果】
【００２１】
請求項１に記載の発明は、容器本体と飲み口体とボタンロック体付き栓体とからなる携帯用飲料容器において、前記飲み口体は、中央部に外側方に突出する係止部を形成せしめる飲み口部を立設し、前記栓体は、外側囲み壁部に、前記外側囲み壁部に挿通せしめるピンによって接続され、且内挿するバネによって弾発力を保持し、且下端部に爪部を有する開閉ボタンを取着し、内部に栓パッキンを内挿せしめると共に、前記栓体を前記飲み口体に嵌着すると、内部の栓パッキンに飲み口部があたり、パッキンの弾発力によって、飲み口部が下方向に押され、前記開閉ボタンの爪部が飲み口部の係止部に引掛り係止し、前記栓体が前記飲み口体に対し固定し、前記栓体の栓パッキンが容器本体間に注入中の飲料水の漏れを防止し、簡単且自在に前記栓体を着脱できる携帯用飲料容器なので、栓体が飲み口体を閉めるときは、開閉ボタンを手指で押し込むだけのワンタッチで、反対に栓体を開けるときは、開閉ボタンを押したまま上方に持上げるだけのワンタッチで従来技術よりも簡単に開閉操作ができる。
【００２２】
請求項２に記載の発明は、前記ボタンロック体付き栓体のボタンロック体は、前記栓体の上面部に前記開閉ボタンの押圧をロックしたり、あるいは解除せしめる前記栓体に対し正逆回転を可能に装着せしめ、前記ボタンロック体と一体となった前記栓体を前記飲み口体の飲み口部に着脱自在にせしめる携帯用飲料容器なので、請求項１に記載の発明と同じ効果を有している。
【００２３】
請求項３に記載の発明は、前記飲み口体の中央部より立設する飲み口部の係止部は、前記飲み口部の下方基部より若干上方部に形成し、前記栓体の上面部に装着せしめる前記ボタンロック体は、前記栓体の外側囲み壁部の上方部より飛出する前記開閉ボタンの上方部が出入可能な凹部を囲み壁部に設ける携帯用飲料容器なので、請求項１もしくは同２に記載の発明と同じ効果を有している。さらに、本発明は栓体と飲み口部との嵌着時において、栓体と飲み口部との嵌着角度を何ら気にすることなく、嵌着しても、栓体が揺動することを解消し使用時の利便性を著しく高める効果を有している。
【００２４】
請求項４に記載の発明は、前記飲み口体の飲み口部の係止部の上面部に、所定の間隔を設けて外側方に突出する突起部を形成すると共に、前記栓体の内側嵌挿部に所定の間隔おきに前記突起部が嵌挿する栓凹部を形成せしめる携帯用飲料容器なので、請求項１〜３に記載の発明と同じ効果を有している。
【００２５】
請求項５に記載の発明は、前記飲み口体の飲み口部の突起部と、前記栓体の栓凹部を形成する各突起部の先端部は挿入を良好にするために鋭角にしている携帯用飲料容器なので、請求項１〜４に記載の発明と同じ効果を有している。
【図面の簡単な説明】
【００２６】
【図１】本発明携帯用飲料容器の正面図である。
【００２７】
【図２】同容器の平面図である。
【００２８】
【図３】同容器の縦断面図である。
【００２９】
【図４】同容器の栓体を構成する開閉ボタンを押圧したときの縦断面図である。
【００３０】
【図５】同図４の状態において栓体を持上げた状態の縦断面図である。
【００３１】
【図６】同容器における栓体を除去後の平面図である。
【００３２】
【図７】同図６の容器における一部切欠状態の正面図である。
【００３３】
【図８】同ボタンロック体付き栓体の縦断面図である。
【００３４】
【図９】図８の栓体の底面図である。
【００３５】
【図１０】同ボタンロック体を引っ繰り返した状態の斜面図である。
【００３６】
【図１１】同栓体の斜視図である。
【発明を実施するための最良の形態】
【００３７】
図において、Ａは本発明の容器である。
【００３８】
ａは容器本体であり以下の構成からなっている。
【００３９】
すなわち、金属板製内側筒部１と金属板製外側筒部２を所定の空隙部３を設け両筒部１、２の上方開口部４、５を図面のとおり接続し形成する。
【００４０】
さらに図において、ｂは飲み口体であり以下の構成からなっている。
【００４１】
すなわち、前記飲み口体ｂは、前記容器本体ａの上方開口部４、５と前記外側筒部２の上方部周辺に形成の凸部６に螺着する内側螺子部７を有する肩部８を形成する。この肩部８は上方部９に行くに従って径が狭まる傾斜状にて形成されている。
【００４２】
前記肩部８の上方部９は、中央部に排水孔１０を有する下方基部１１を形成する。
【００４３】
前記下方基部１１の中央に所定の高さの開口部１２を有する飲み口部１３を立設する。前記飲み口部１３の下方部は前記排水孔１０と連通する。
【００４４】
前記飲み口部１３の下方基部１１より若干上方部に外側周部に突出する係止部１４を形成する。
【００４５】
前記下方基部１１の裏面部には、前記排水孔１０を遮蔽しないリング状のパッキン１５が嵌め込まれている。
【００４６】
前記飲み口部１３の係止部１４の上方部に、所定の間隔を設けて通常４個外側方に突出する先端部が鋭角となっている突起部１６を形成する。
【００４７】
４２ａは飲み口体ｂに突設の紐通し部である。
【００４８】
ｃは前記飲み口体ｂの飲み口部１３に対し嵌脱自在な栓体であり、且前記栓体ｃは、栓体ｃの上方部２１に取着するボタンロック体ｄと一体にして前記飲み口体ｂに嵌脱操作を行うことを特長としている。
【００４９】
前記栓体ｃの実施形態は以下のとおりである。
【００５０】
前記栓体ｃの外側部は円筒状の外側囲み壁部１７を有し、内側部には前記外側囲み壁部１７とリブ１８を介して所定の間隔を設けて接続する内側嵌挿部１９を形成する。
【００５１】
さらに、前記外側囲み壁部１７の底面部２０はフラット状にして、且前記下方基部１１に図面図示のとおり重合する。この詳細は後述する。
【００５２】
前記栓体ｃの上方部２１と接続する前記内側嵌挿部１９の上方部２２の裏面中央部より下方向に向けて垂下する突出部２３に栓パッキン２４を嵌込み、前記飲み口部１３を塞ぎ水漏れを防止する。
【００５３】
前記栓体ｃの前記飲み口部１３に嵌込む形状の内側嵌挿部１９の内側部に所定角度、例えば図９に図示のように、３０度ピッチに栓凹部２５を内側方向に突出する突起部２６を介して複数個所形成する。そして、前記突起部２６の先端部は前記飲み口部１３の突起部１６の先端部と同じように鋭角とする。
【００５４】
さらに、前記栓体ｃには、前記飲み口部１３に嵌脱を操作する開閉ボタン２７、２７を前記外側囲み壁部１７を上方部２１から底面部２０にかけて切欠する切欠部２８、２８に嵌込んでやる。
【００５５】
さらに前記開閉ボタン２７、２７の内側部にバネ２９を嵌め込むバネ用突出部３０を突設する。
【００５６】
そして、前記開閉ボタン２７、２７を前記外側囲み壁部１７に接続させるには、前記バネ２９を嵌込んでいるバネ用突出部３０の下方部に位置する前記外側囲み壁部１７の外側部よりピン３１を水平状にして前記開閉ボタン２７、２７の内部を貫通し、さらに外側囲み壁部１７の外側部へと貫通させる。
【００５７】
さらに、前記開閉ボタン２７、２７の下端部は、内側方に折曲する爪部３２、３２を形成する。
【００５８】
また、前記爪部３２、３２は、前記飲み口体ｂの飲み口部１３の係止部１４に引掛るように形成する。
【００５９】
そして前記開閉ボタン２７、２７の上面部３３は、前記外側囲み壁部１７の上方部２１よりも若干突出している。
【００６０】
前記栓体ｃの外側囲み壁部１７の上方部２１と内側嵌挿部１９の上方部２２の具体的な実施形態を説明する。
【００６１】
前記開閉ボタン２７、２７は、バネ２９の弾力性によって前記ピン３１の上方部が外側方に押圧されている。
【００６２】
従って、前記開閉ボタン２７、２７の上方部を手指でつかみ内側方に押圧すると、前記外側囲み壁部１７の切欠部２８、２８から前記内側嵌挿部１９の上方部２２の外囲面部に形成の凹部３５、３５に夫々嵌挿する。そして、前記のように押圧していた手指を離すと、バネ２９の伸張力によって前記凹部３５から離脱する。
【００６３】
前記両凹部３５、３５の夫々の左側方の前記外側囲み壁部１７の上方部２１には、前記内側嵌挿部１９の上方部２２の中央部に形成のリング状嵌挿部３６の高さにより若干高い稍湾曲状の突出部３７、３７を形成する。
【００６４】
前記リング状嵌挿部３６は、前記ボタンロック体ｄの裏面部３８に形成したリング状突出部４０が嵌挿可能な形状とする。
【００６５】
前記外側囲み壁部１７の内側部と前記内側嵌挿部１９の外周囲部との間の部位にして、且前記両開閉ボタン２７、２７の切欠部２８，２８の夫々の右側方に、上方より押すと若干降下する弾力性を有する小突起４１、４１を夫々突設する。前記小突起４１、４１の高さは、前記リング状嵌挿部３６の高さより若干高く形成している。
【００６６】
４２は、前記外側囲み壁部１７に突設する紐通し部である。
【００６７】
前記外側囲み壁部１７の上方部２１の内側部と、前記内側嵌挿部１９の上方部２２の外周部との間の部位にして、且前記突出部３７、３７と前記小突起４１、４１との間には、稍湾曲状の内側嵌挿部４３、４３を２個所形成する。
【００６８】
前記ボタンロック体ｄの具体的な実施形態は以下のとおりである。
【００６９】
前記ボタンロック体ｄは、前記栓体ｃの上方部に位置し両体を嵌着させ、且前記栓体ｃの開閉ボタン２７、２７をロックしたり、ロックを解除させたりするものである。
【００７０】
前記ボタンロック体ｄは、円盤状にして、上面に「矢印付きＬＯＣＫ」の文字を対向状態にして付設してある。
【００７１】
前記ボタンロック体ｄの外囲部には、下方向に対向状の切欠部４４、４４を有し、且同一の高さと厚みを有する鍔部４５を形成する。
【００７２】
さらに前記ボタンロック体ｄの裏面部３８には、対向状形成した切欠部４４、４４の右側方にして、且前記鍔部４５の内側基部４７に凹部４６、４６を形成する。さらに前記凹部４６、４６より内側部に垂下状の係止突起部４８、４８を突設する。
【００７３】
そして、前記係止突起部４８、４８の下端部４９、４９には、挿入しやすいように尖状とし、前記下端部４９、４９より稍上方部に係止部５０、５０を形成する。
【００７４】
前記係止突起部４８、４８は、前記対向状の切欠部４４、４４の右側方の部位に夫々突設されている。
【００７５】
さらに、ボタンロック体ｄの裏面部３８の前記内側基部４７に形成した凹部４６、４６の長さは、図１０に図示されているように、前記切欠部４４、４４の左端部から前記係止突起部４８、４８の左端部までの部位に形成されている。
【００７６】
前記ボタンロック体ｄには、前記内面部３８に突設の係止突起部４８、４８の右側方に、所定の間隔を設けて凸部５１を２個宛形成する（図１０）。
【００７７】
前記凸部５１は、前記リング状突出部４０の中心部方向に延設している。
【００７８】
以上がボタンロック体ｄの実施形態である。
【００７９】
本発明の前記ボタンロック体ｄ付き栓体ｃは以下のように組立てて使用する。
【００８０】
すなわち、図１１に図示されている栓体ｃに図１０に図示されているボタンロック体ｄとを予め嵌合させる。
【００８１】
両体ｃ、ｄを組み立てると図１、３、４、５、８、９のようになる。
【００８２】
さらに、両体ｃ、ｄの組立て手法は以下のようにする。
【００８３】
図１１に図示されている栓体ｃの上方部に図１０のボタンロック体ｄを引っ繰り返して載せる。
【００８４】
その際、栓体ｃの内側嵌挿部４３、４３内に、前記ボタンロック体ｄの係止突起部４８、４８を嵌挿し、且リング状突出部４０がリング状嵌挿部３６内に嵌挿する。さらに前記栓体ｃの突起部３７、３７が凹部４６、４６内に嵌挿し、同時に前記開閉ボタン２７、２７の上方部が前記切欠部４４、４４内に嵌挿した状態となり、前記両体ｃ、ｄが図３、４、８等のように組立てられる。
【００８５】
前記のように組立てられたボタンロック体ｄを手指でつかみ正回転させると、嵌挿部３６に嵌り込んでいるリング状突出部４０を支点に回動する。その際、前記開閉ボタン２７、２７は、バネ２９の上方部が、バネ２９の押圧作用によって外側方へ図３、８に図示したように押下されている。
【００８６】
そして、開閉ボタン２７、２７のバネ２９より下方部の外側面は、栓体ｃの外側囲み壁部１７と同一面となっている。従って違和感はない。
【００８７】
前記のとおりボタンロック体ｄを正回転させると、前記突出部３７、３７が前記ボタンロック体ｄの凹部４６、４６内をスライドし、且弾性を有する前記小突起４１、４１がかちかち音を発し前記ボタンロック体ｄの凸部５１、５１を越える。と同時に前記ボタンロック体ｄの切欠部４４、４４が前記開閉ボタン２７、２７より前進し、前記開閉ボタン２７、２７のピン３１より上方部を手指で押圧しても前記ボタンロック体ｄの上方部の裏面部が、前記ボタンロック体ｄの鍔部４５の外側面に当接しているので、開閉ボタン２７、２７を押圧することができないロック状態となっている。
【００８８】
さらに本発明の前記ボタンロック体ｄを前記の状態から逆回転させると、前記ボタンロック体ｄも逆回転し、前記開閉ボタン２７、２７の上方部が凹部４４、４４に嵌合する。
【００８９】
そして、前記ボタンロック体ｄの逆回転時に、弾力性を有する小突起４１、４１が、かちかちと音を発し前記ボタンロック体ｄの凸部５１、５１を逆に越える。
【００９０】
前記の逆転操作が終了すれば、前記開閉ボタン２７、２７の上方部は、前記凹部４４、４４に嵌合し手指での押圧はスムーズとなる。
【００９１】
前記のように組立てられた栓体ｃを図１の図示状態に組立てるには、前記凹部４４、４４に位置しているボタン２７、２７を支持しているピン３１より上方部を手指で押圧した状態で、前記容体ａに嵌り込んでいる前記飲み口体ｂの飲み口部１３を、前記栓体ｃの内側嵌挿部１９に嵌挿せしめる。
【００９２】
前記のように組立てられた栓体ｃを飲み口体ｂの飲み口部１３に嵌挿し、前記手指で押圧していた前記開閉ボタン２７、２７の押圧を解除すると、前記飲み口部１３の係止部１４に前記開閉ボタン２７、２７の爪部３２、３２が引掛り係止する。その際、複数の突起部１６が内側嵌挿部１９の中の複数の栓凹部２５に嵌挿して、前記栓体ｃの回転を阻止する。その結果前記栓体ｃは、飲み口体ｂとの嵌着を安定化させる。
【００９３】
そして、前記ボタンロック体ｄを正回転させると、前記切欠部４４、４４が同時に回動する。この回動によって前記開閉ボタン２７、２７が前記ボタンロック体ｄの鍔部４５を外周面に当接している。この当接によって、前記栓体ｃは飲み口体ｂから容易に離脱しない。
【００９４】
つぎに嵌着し、且ロック状態にある栓体ｃを飲み口体ｂから離脱させるときは以下のようにする。
【００９５】
先ず前記ボタンロック体ｄを逆回転させて、前記ボタンロック体ｄの鍔部４５に当接していた開閉ボタン２７、２７を切欠部４４、４４に位置させる。
【００９６】
つぎに前記開閉ボタン２７、２７の上方部を手指で押圧する。この押圧によって、前記ピン３１を支点に前記開閉ボタン２７、２７の爪部３２、３２が飲み口部１３の係止部１４から離脱する（図４）。
【００９７】
さらに前記開閉ボタン２７、２７を手指で押圧したまま上方へ引き上げることによって前記栓体ｃを前記飲み口体ｂから離脱できる。
【００９８】
前記栓体ｃの離脱後は、容体ａ内の飲料を飲むことが可能となる。
【符号の説明】
【００９９】
Ａ        容器
ａ        容器本体
ｂ        飲み口体
ｃ        栓体
ｄ        ボタンロック体
１        内側筒部
２        外側筒部
３        空隙部
４        上方開口部
５        上方開口部
６        凸部
７        内側螺子部
８        肩部
９        上方部
１０      排水孔
１１      下方基部
１２      開口部
１３      飲み口部
１４      係止部
１５      パッキン
１６      突起部
１７      囲み壁部
１８      リブ
１９      内側嵌挿部
２０      底面部
２１      上方部
２２      上方部
２３      突出部
２４      栓パッキン
２５      栓凹部
２６      突起部
２７      開閉ボタン
２８      切欠部
２９      バネ
３０      バネ用突起部
３１      ピン
３２      爪部
３３      上面部
３５      凹部
３６      リング状嵌挿部
３７      突出部
３８      裏面部
４０      突出部
４１      小突起
４２      紐通し部
４２ａ    紐通し部
４３      内側嵌挿部
４４      切欠部
４５      鍔部
４６      凹部
４７      内側基部
４８      係止突起部
４９      下端部
５０      係止部
５１      凸部
【図１】
2012153370.tif 000003
【図２】
2012153370.tif 000004
【図３】
2012153370.tif 000005
【図４】
2012153370.tif 000006
【図５】
2012153370.tif 000007
【図６】
2012153370.tif 000008
【図７】
2012153370.tif 000009
【図８】
2012153370.tif 000010
【図９】
2012153370.tif 000011
【図１０】
2012153370.tif 000012
【図１１】
2012153370.tif 000013